(57)【特許請求の範囲】
【請求項１】
グラビア印刷ロールにドクターブレードの先端を突き立てて余分なインクを掻き取るドクター装置において、ドクターブレードの先端形状を断面半円形にし、前記ドクターブレードの先端部には一方の電歪アクチュエータが位置し前記ドクターブレードの後端部には他方の電歪アクチュエータが位置するように前記ドクターブレードには一対の電歪アクチュエータが付設されていて印刷中に前記一対の電歪アクチュエータに通電が行われ、前記一対の電歪アクチュエータが互いに反対方向に伸縮するかまたは交互に伸縮することにより前記ドクターブレードの先端から離れた箇所が歪むように構成されていて、この構成により前記ドクターブレードの先端がグラビア印刷ロールに対する突き立て状態を変化させる揺動を行うことにより先端の異なった箇所が絶えずグラビア印刷ロールの周面に線接触して先端形状の均一な磨耗を図るようにしたことを特徴とするドクター装置。
【請求項２】
グラビア印刷ロールにドクターブレードの先端を突き立てて余分なインクを掻き取るドクター装置において、ドクターブレードの先端形状を断面半円形にし、前記ドクターブレードには一個の電歪アクチュエータが付設されていて印刷中に前記電歪アクチュエータに通電が行われることにより前記ドクターブレードの先端から離れた箇所が裏表にペコペコと交番して歪むように構成されていて、この構成により前記ドクターブレードの先端がグラビア印刷ロールに対する突き立て状態を変化させる揺動を行うことにより先端の異なった箇所が絶えずグラビア印刷ロールの周面に線接触して先端形状の均一な磨耗を図るようにしたことを特徴とするドクター装置。
【発明の詳細な説明】
【０００１】
【発明の属する技術分野】
本願発明は、ドクターブレードの横スライドをなくしてシンプルな構成にするとともに振動による自己潤滑機能を備えてドクターブレードのインク掻き取り機能を確保できるドクター装置に関する。
【０００２】
【従来の技術】
図３は、従来のグラビア印刷機におけるドクター装置を示す。図３において、符号１はグラビア印刷ロール、符号２はドクター装置のドクターブレードを示す。ドクター装置は、グラビア印刷ロール１にドクターブレード２の先端を突き立てて余分なインクを掻き取る装置である。ドクターブレード２の先端形状は断面方形である。ドクターブレード２は、印刷中に矢印Ａで示すゆっくりとした横スライドを行うことによりグラビア印刷ロール１のロール方向同一箇所の周面に接触するのを避けて先端形状の均一な摩耗を図っている。もしも、ドクターブレード２が印刷中に矢印Ａで示す横スライドを行わないとすれば、ドクターブレード２の先端の摩耗が均一でなくなり、早期に先端の数か所が大きく摩耗してそこのインク掻き取り機能が喪失し版画像に存在しない連続直線の印刷が行われてしまう惧れがある。
【０００３】
【発明が解決しようとする課題】
図３の従来のドクター装置によれば、矢印Ａで示す横スライドを行うメカニカル装置を印刷機の装置フレームに付設していたので、スペースを取っているとともにコストが高く付いていた。
【０００４】
本発明は、上述した点に鑑み案出したもので、ドクターブレードの横スライドをなくしてシンプルな構成にするとともに振動による自己潤滑機能を備えてドクターブレードのインク掻き取り機能を確保できるドクター装置を提供することを目的としている。
【０００５】
【課題を解決するための手段】
本発明のドクター装置の第１の態様は、グラビア印刷ロールにドクターブレードの先端を突き立てて余分なインクを掻き取るドクター装置において、ドクターブレードの先端形状を断面半円形にし、前記ドクターブレードの先端部には一方の電歪アクチュエータが位置し前記ドクターブレードの後端部には他方の電歪アクチュエータが位置するように前記ドクターブレードには一対の電歪アクチュエータが付設されていて印刷中に前記一対の電歪アクチュエータに通電が行われ、前記一対の電歪アクチュエータが互いに反対方向に伸縮するかまたは交互に伸縮することにより前記ドクターブレードの先端から離れた箇所が歪むように構成されていて、この構成により前記ドクターブレードの先端がグラビア印刷ロールに対する突き立て状態を変化させる揺動を行うことにより先端の異なった箇所が絶えずグラビア印刷ロールの周面に線接触して先端形状の均一な磨耗を図るようにしたことを特徴とする。本発明のドクター装置の第２の態様は、グラビア印刷ロールにドクターブレードの先端を突き立てて余分なインクを掻き取るドクター装置において、ドクターブレードの先端形状を断面半円形にし、前記ドクターブレードには一個の電歪アクチュエータが付設されていて印刷中に前記電歪アクチュエータに通電が行われることにより前記ドクターブレードの先端から離れた箇所が裏表にペコペコと交番して歪むように構成されていて、この構成により前記ドクターブレードの先端がグラビア印刷ロールに対する突き立て状態を変化させる揺動を行うことにより先端の異なった箇所が絶えずグラビア印刷ロールの周面に線接触して先端形状の均一な磨耗を図るようにしたことを特徴とする。
【０００６】
【発明の実施の形態】
先ず、本願発明のドクター装置の第一の実施の形態を図１を参照して説明する。図１において、符号３はグラビア印刷ロール、符号４はドクター装置のドクターブレードを示す。ドクター装置は、グラビア印刷ロール１の径に合わせて位置を調整されドクターブレード２の先端をグラビア印刷ロール１に対して傾斜状態に突き立てて余分なインクを掻き取り、グラビア印刷ロール１のセルにインクを盛る役目を果たす。ドクターブレード２の先端形状は断面半円形となっている。そして、ドクターブレード４は、印刷中に矢印Ｂで示す揺動を行うことにより先端の異なった箇所が絶えずグラビア印刷ロール１の周面に線接触して先端形状の均一な摩耗を図っている。そのため、ドクターブレード４には電歪アクチュエータ５と６が付設されていて印刷中に電歪アクチュエータ５と６に通電が行われ該電歪アクチュエータ５と６が互いに反対方向に伸縮するかまたは交互に伸縮することによりドクターブレード４の先端から離れた箇所が歪むように構成されていて、もって、ドクターブレード４の先端がグラビア印刷ロールに対する突き立て状態を変化させる矢印Ｂで示す揺動を行うように構成されている。
【０００７】
次に、本願発明のドクター装置の第二の実施の形態を図２を参照して説明する。図２において、符号３はグラビア印刷ロール、符号４はドクター装置のドクターブレードを示す。ドクター装置は、グラビア印刷ロール１の径に合わせて位置を調整されドクターブレード２の先端をグラビア印刷ロール１に対して傾斜状態に突き立てて余分なインクを掻き取り、グラビア印刷ロール１のセルにインクを盛る役目を果たす。ドクターブレード２の先端形状は断面半円形となっている。そして、ドクターブレード４は、印刷中に矢印Ｃに示す揺動を行うことにより先端の異なった箇所が絶えずグラビア印刷ロール１の周面に線接触して先端形状の均一な摩耗を図っている。そのため、ドクターブレード４には電歪アクチュエータ７が付設されていて印刷中に電歪アクチュエータ７に通電が行われることによりドクターブレード４の先端から離れた箇所が裏表にペコペコと交番して歪むように構成されていて、もって、ドクターブレード４の先端がグラビア印刷ロールに対する突き立て状態を変化させる矢印Ｃで示す揺動を行うように構成されている。
【０００８】
【発明の効果】
以上説明してきたように、本願発明のドクター装置によれば、
▲１▼ドクターブレードの先端形状を断面半円形にし、かつ印刷中に電歪アクチュエータによりドクターブレードのグラビア印刷ロールに対する突き立て状態を倒す方向に変化しうる構成としたから、ドクターブレードが振動による自己潤滑機能を備え、従来の横スライドするドクターブレードと同等のインク掻き取り機能を確保できる。
▲２▼ドクターブレードの横スライドをなくしてシンプルな構成になり、印刷機のフレームがシンプルになり、省スペースとなり、製作コストを低減できる。
【図面の簡単な説明】
【図１】本願発明のドクター装置の第一の実施の形態を示す要部拡大正面図。
【図２】本願発明のドクター装置の第二の実施の形態を示す要部拡大正面図。
【図３】従来のドクター装置を示す概略斜視図。
【符号の説明】
３            ・・・・グラビア印刷ロール
４            ・・・・ドクターブレード
５、６、７    ・・・・電歪アクチュエータ
【図１】
0003889493.tif 000002
【図２】
0003889493.tif 000003
【図３】
0003889493.tif 000004